(57)【要約】  ストリングを備えるスポーツウェア及びアウトドア衣類を提供する。前記スポーツウェア及びアウトドア衣類は、着用者の上半身に着用される本体部と、前記本体部の上段から延長され前記着用者の顔面及び首を外部環境から保護する保護部、及び前記保護部の上段二つの地点に連結され、前記着用者の頭部を包むように構成されるストリングを含む。
2013520582.tif 000002
【特許請求の範囲】
【請求項１】
着用者の上半身に着用される本体部と、
前記本体部の上段から延長され前記着用者の顔面及び首を外部環境から保護する保護部、及び
前記保護部の上段の二つの地点に連結され、前記着用者の頭部を包むように構成されるストリングを含むスポーツウェア及びアウトドア衣類。
【請求項２】
前記保護部は円形状であり、高さが同一である請求項１に記載のスポーツウェア及びアウトドア衣類。
【請求項３】
前記保護部は高さが異なり、少なくとも一部分が前記着用者の頭部を包む形態である請求項１に記載のスポーツウェア及びアウトドア衣類。
【請求項４】
前記保護部は、前記着用者の顔面及び首のうち少なくともいずれか一つを保護できる請求項１に記載のスポーツウェア及びアウトドア衣類。
【請求項５】
前記着用者の頭部に合わせて前記ストリングの長さを調節できるように前記ストリングに備えられるホルダーをさらに含む請求項１に記載のスポーツウェア及びアウトドア衣類。
【請求項６】
前記ホルダーは二つのストリングが貫通できるホールを備え、前記ストリングを締めたり緩めたりする調節部を備える請求項５に記載のスポーツウェア及びアウトドア衣類。
【請求項７】
前記本体部及び前記保護部はポリエステル、スパンデックス、ポリプロピレン、ポリアミド、綿、レーヨン、アクリル素材のうち少なくとも一つを含む請求項１に記載のスポーツウェア及びアウトドア衣類。
【発明の詳細な説明】
【技術分野】
【０００１】
本発明は、ストリングを備えるスポーツウェア及びアウトドア衣類に関するものであり、より詳細には野外活動時、顔面及び首を保護できるスポーツウェア及びアウトドア衣類に関するものである。
【背景技術】
【０００２】
最近多くの人々は健康のために定期的に運動をしている。特に、週末には登山、ゴルフ、自転車などを楽しむ人々が増加する傾向にある。
【０００３】
しかし、ゴルフをラウンドするとき、強い陽光により紫外線に顔面（すなわち、鼻、口）及び首が露出される問題があり、気象条件の良くない季節に登山、自転車及び釣りをする場合、雪や風などの外部環境に顔面（すなわち、鼻、口）及び首が露出され、寒さから身体を保護できないという問題点がある。
【０００４】
これに、野外活動（運動、釣り、散歩など）を楽しむ人々は天気の変化を予測しにくいため、別途の保護用品を用意しなければならないという面倒さがあった。
【０００５】
したがって、野外活動時のユーザが別途の保護用品を備える面倒さを解決できる製品を提供する必要がある。
【発明の概要】
【発明が解決しようとする課題】
【０００６】
本発明は、野外活動時の紫外線、雪、風などの外部環境から顔面及び首を保護できるスポーツウェア及びアウトドア衣類を提供することにその目的がある。
【０００７】
本発明の目的は、以上で言及した目的に制限されず、言及されていないまた他の目的は次の記載から当業者に明確に理解できるであろう。
【課題を解決するための手段】
【０００８】
前記目的を達成するため、本発明の一実施例によるスポーツウェア及びアウトドア衣類は、着用者の上半身に着用される本体部と、前記本体部の上段から延長され前記着用者の顔面及び首を外部環境から保護する保護部、及び前記保護部の上段の二つ地点に連結され、前記着用者の頭部を包むように構成されるストリングを含む。
【０００９】
本発明の他の具体的な内容については詳細な説明及び図面に含まれている。
【発明の効果】
【００１０】
前述したような本発明のスポーツウェア及びアウトドア衣類には次のような効果が一つあるいはそれ以上ある。
【００１１】
第一に、野外活動時の紫外線、雪、風などの外部環境から顔面及び首を保護できる長所がある。
【００１２】
第二に、スポーツウェア及びアウトドア衣類を着用したユーザは外部環境から保護しようとするユーザの身体（すなわち、顔面及び首）の部分を選択的に覆うことができるという長所がある。
【００１３】
第三に、ストリングの長さを調節して着用したスポーツウェア及びアウトドア衣類がずり下がることなく、着用者の顔面に合わせて着用することができ、ストリングを頭部の多様な位置（脳天または後頭部分など）に固定させることができ、帽子、フード及びメガネなどの着用に不便さを感じないようにするという長所がある。
【図面の簡単な説明】
【００１４】
【図１】本発明の一実施例によるスポーツウェア及びアウトドア衣類を図示する正面図である。
【図２】本発明の第１実施例によるスポーツウェア及びアウトドア衣類を図示する図である。
【図３】本発明の第１実施例によるスポーツウェア及びアウトドア衣類を図示する図である。
【図４】本発明の第１実施例によるスポーツウェア及びアウトドア衣類を図示する図である。
【図５】本発明の第２実施例によるスポーツウェア及びアウトドア衣類を図示する図である。
【図６】本発明の第２実施例によるスポーツウェア及びアウトドア衣類を図示する図である。
【発明を実施するための形態】
【００１５】
本発明の利点及び特徴、これらを達成する方法は添付する図面と共に詳細に後述する実施例を参照すると明確になるであろう。しかし、本発明は、以下で開示する実施例に限定されるものではなく、互いに異なる多様な形態で実現されるものであり、本実施例は、単に本発明の開示を完全にし、本発明が属する技術分野で通常の知識を有する者に発明の範疇を完全に知らせるために提供されるものであり、本発明は、請求項の範囲によってのみ定義される。明細書全体にかけて同一参照符号は同一構成要素を指称する。
【００１６】
第１、第２などが多様な素子、構成要素及び／またはセクションを叙述するために使用されるが、これら素子、構成要素及び／またはセクションはこれら用語によって制限されないことはもちろんである。これらの用語は、単に一つの素子、構成要素またはセクションを他の素子、構成要素またはセクションと区別するために使用するものである。したがって、以下で言及される第１素子、第１構成要素または第１セクションは本発明の技術的思想内で第２素子、第２構成要素または第２セクションであることもあることはもちろんである。
【００１７】
本明細書で使用された用語は、実施例について説明するためであり、本発明を制限しようとするものではない。本明細書で、単数型は特別に言及しない限り複数型も含む。明細書で使用される「含む（ｃｏｍｐｒｉｓｅｓ）」及び／または「からなる（ｍａｄｅ  ｏｆ）」は言及された構成要素、段階、動作及び／または素子は一つ以上の他の構成要素、段階、動作及び／または素子の存在または追加を排除しない。
【００１８】
他に定義されなければ、本明細書で使用されるすべての用語（技術及び科学的用語を含む）は、本発明が属する技術分野で通常の知識を有する者に共通に理解できる意味で使用される。また一般的に使用される辞書に定義されている用語は特別に定義して明らかにしない限り理想的にまたは過度に解釈されない。
【００１９】
以下、本発明について添付する図面を参照して詳細に説明する。
【００２０】
図１は、本発明の一実施例によるスポーツウェア及びアウトドア衣類を図示する正面図である。図２〜図４は、本発明の第１実施例によるスポーツウェア及びアウトドア衣類を図示する図面である。図５〜６は、本発明の第２実施例によるスポーツウェア及びアウトドア衣類を図示する図である。
【００２１】
図示するように、ストリングを備えるスポーツウェア及びアウトドア衣類（１００、以下、「衣類」という）は本体部１１０、保護部１２０、ストリング１３０及びホルダー１４０を含み構成される。
【００２２】
本体部１１０は、着用者の上半身に着用されるものであり、本体部１１０は両腕の長袖１１１及び本体面１１２が形成されており、本体面１１２の上側には着用者の顔面及び首を保護できる保護部１２０が連結される。
【００２３】
保護部１２０は、野外活動時の紫外線、雪、風などの外部環境から顔面及び首を保護するためのものであり、保護部１２０は本体部１１０の本体面１１２の上段から延長される。
【００２４】
また、保護部１２０は第１実施例として円形状であり、保護部１２０の下側から上側まで同一の高さを有することができる。また、保護部１２０は第２実施例として下側から上側まで高さが異なり、少なくとも一部分が着用者の頭部を包む形態である。
【００２５】
例えば、第１実施例のような保護部１２０の場合、保護部１２０は着用者の顔面を包みながら頭部にストリング１３０で固定することができ（図２及び図４を参照）、第二実施例のような保護部１２０の場合、保護部１２０は着用者の耳を含む顔の横面を包み、頭部にストリング１３０で固定することができる（図５及び図６を参照）。
【００２６】
ストリング１３０は、保護部１２０の上段の二つの地点に連結され、前記着用者の頭部を包むように構成される。ここで、ストリング１３０は着用者の頭部の多様な位置（脳天または後頭部分など）に固定することができる。
【００２７】
ホルダー１４０は、着用者の頭部に合わせてストリング１３０の長さを調節できるようにストリング１３０に備えられる。ここで、ホルダー１４０は二本のストリング１３０が貫通できるホール１４２を備え、ストリング１３０を締めたり緩めたりする調節部１４１を備えて形成する。
【００２８】
例えば、ホルダー１４０はストリング１３０の長さを着用者の顔面に合わせて調節し、着用者の顔面及び首を包む保護部１２０がずり下がらないようにする。
【００２９】
一方、衣類１００の本体部１１０及び保護部１２０の材質はポリエステル、スパンデックス、ポリプロピレン  ポリアミド、綿、レーヨン、アクリルなどの繊維素材であり、必ずしもこれに限定されない。
【００３０】
図２及び図４を参照して本発明についてより詳細に説明する。
【００３１】
図２に図示するように、衣類１００を着用したユーザ（すなわち、着用者）が衣類１００の保護部１２０を着用者の頭部方向に引き上げ、顔の鼻、口、耳を覆う後ホルダー１４０を利用して着用者の顔面に合わせてストリング１３０を締め、ストリング１３０を頭部の所定位置に固定させる。
【００３２】
また、図３及び図４に図示するように衣類１００を着用したユーザは衣類１００の保護部１２０の部分を着用者の頭部方向に引き上げ、顔の口、耳のみを覆うこともでき、または衣類１００を着用したユーザの首の部分のみを覆うこともできる。ここで、着用者はストリング１３０を頭部の多様な位置（脳天または後部分など）に固定させることができる。
【００３３】
図５及び図６を参照して本発明についてより詳細に説明すると、衣類１００を着用したユーザが衣類１００の保護部１２０を着用者の頭部方向に引き上げ、耳を含む顔の横面を包み頭部にストリング１３０で固定させる。ここで、着用者は首と耳を覆うことができ、またストリング１３０は着用者の頭部の多様な位置（脳天または後部分など）に固定することができる。
【００３４】
したがって、衣類１００を着用したユーザは登山時、ストリング１３０の長さを調節して山に登る時には顔の口と耳のみを覆い鼻を露出させて呼吸に不便がないようにすることができ、寒い冬のように寒い天気には顔の目を除く鼻、口、耳を覆い、寒さから身体を保護できる。また、休息や食事時にはストリング１３０を首の後に位置させ、顔全体が露出するようにして安らかに休息したり食事ができるようにすることもできる。
【００３５】
また、衣類１００を着用したユーザはゴルフをラウンドするとき、顔の目を除く鼻、口、耳を覆い、紫外線から顔面の大部分を保護し、クラブハウスなどではストリング１３０を後ろ首に位置させて安らかに食事や談笑を楽しめることができる。
【００３６】
以上、添付する図面を参照して本発明の実施例について説明したが、本発明が属する技術分野における通常の知識を有する者は、本発明がその技術的思想や必須の特徴を変更しない範囲で他の具体的な形態で実施され得ることを理解することができる。したがって、上述した実施例はすべての面において例示的なものであり、限定的なものではないと理解しなければならない。
【符号の説明】
【００３７】
１００    スポーツウェア及びアウトドア衣類
１１０    本体部
１２０    保護部
１３０    ストリング
１４０    ホルダー
【図１】
2013520582.tif 000003
【図２】
2013520582.tif 000004
【図３】
2013520582.tif 000005
【図４】
2013520582.tif 000006
【図５】
2013520582.tif 000007
【図６】
2013520582.tif 000008
【国際調査報告】
2013520582.tif 000009
2013520582.tif 000010
2013520582.tif 000011
2013520582.tif 000012